(57)【要約】      （修正有）【課題】拡散スペクトル環境における捕捉プロセスの改善技術を提供する。【解決手段】パイロットデータを受取って、１組のＰＮシーケンスにより拡散し、拡散されたパイロットデータを出力するように構成されたスプレッダと、スプレッダに結合され、以下の特性方程式：ＰI,2＝ｘ15＋ｘ10＋ｘ8＋ｘ7＋ｘ6＋ｘ2＋１，ＰQ,2＝ｘ15＋ｘ12＋ｘ11＋ｘ10＋ｘ9＋ｘ5＋ｘ4＋ｘ3＋１に基づいて発生されたＰＮシーケンスのセットを出力するように構成されたＰＮ発生器と、スプレッダに結合され、拡散されたパイロットデータを変調して変調された信号を出力するように構成された変調器と、変調器に結合され、変調された信号を受取って調整し、拡散スペクトル信号を出力するように構成された送信機とを備える。【選択図】図１
2011151817.tif 000002
【特許請求の範囲】
【請求項１】
特定の拡散スペクトル信号が擬似ランダム雑音（ＰＮ）シーケンスの特定のセットにより拡散される、複数の拡散スペクトル信号の特定の１つを捕捉する方法において、
捕捉されている特定の拡散スペクトル信号の第１の仮説に対応したＰＮシーケンスの第１のセットを識別し、
パイロット信号を抽出するために受信された信号を識別されたＰＮシーケンスのセットにより処理し、
抽出されたパイロット信号に対する計量値を計算し、
そのパイロット信号が、計算された計量値に部分的に基づいて捕捉されたかどうかを決定し、
パイロット信号が捕捉されていないと決定された場合には、
捕捉されている特定の拡散スペクトル信号の第２の仮説に対応したＰＮシーケンスの第２のセットを選択し、その第２のセット中のＰＮシーケンスは第１のセットの中のＰＮシーケンスに相関しておらず、
前記のような処理、計算および決定ステップを繰返すステップを含んでいる方法。
【請求項２】
第２のセットに対するＰＮシーケンスは、第１のセットに対するＰＮシーケンスの逆数である請求項１記載の方法。
【請求項３】
第１のセットに対するＰＮシーケンスはメモリ装置中に記憶され、
第１のセットに対するＰＮシーケンスを検索するためにそのメモリ装置に対して第１の方向にアクセスし、
第２のセットに対するＰＮシーケンスを検索するためにそのメモリ装置に対して第２の方向にアクセスするステップをさらに含んでいる請求項２記載の方法。
【請求項４】
第１のセットに対するＰＮシーケンスは以下の特性多項式：
ＰI,1 ＝ｘ15＋ｘ13＋ｘ9 ＋ｘ8 ＋ｘ7 ＋ｘ5 ＋１，
ＰQ,1 ＝ｘ15＋ｘ12＋ｘ11＋ｘ10＋ｘ6 ＋ｘ5 ＋ｘ4 ＋ｘ3 ＋１
に基づいて発生される請求項１記載の方法。
【請求項５】
第２のセットに対するＰＮシーケンスは以下の特性多項式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生される請求項４記載の方法。
【請求項６】
第１および第２のセットに対するＰＮシーケンスはそれぞれ２15の長さを有している請求項１記載の方法。
【請求項７】
抽出されたパイロット信号に対する計量値は、特定の時間インターバルにわたって計算されたエネルギ測定値である請求項１記載の方法。
【請求項８】
特定の拡散スペクトル信号は、ＩＳ−９５−Ａ標準規格にしたがって発生される請求項１記載の方法。
【請求項９】
特定の拡散スペクトル信号は、時間的にゲートされたパイロット信号を含んでいる請求項１記載の方法。
【請求項１０】
複数の拡散スペクトル信号の特定の１つを捕捉するように構成可能な受信装置において、
特定の拡散スペクトル信号を含んでいる受信された信号を受取って調整し、調整された信号を供給するように構成された受信機と、
受信機に結合され、調整された信号を復調してベースバンド信号を出力するように構成された復調器と、
復調器に結合され、第１のセットのＰＮシーケンスによりベースバンド信号をデスプレッドし、デスプレッドされた信号を出力するように構成されたデスプレッダと、
デスプレッダに結合され、第１のセットのＰＮシーケンスを出力するように構成されたＰＮ発生器とを備えており、
その第１のセットのＰＮシーケンスは複数のセットのＰＮシーケンス中から選択され、捕捉されている特定の拡散スペクトル信号の第１の仮説に対応しており、
デスプレッダに結合され、デスプレッドされた信号を処理して、パイロット信号を抽出し、その抽出されたパイロット信号に対する計量値を計算するように構成された処理装置と、
ＰＮ発生器および処理装置に結合され、計算された計量値に部分的に基づいてパイロット信号が捕捉されたかどうかを決定し、パイロット信号が捕捉されていないと決定された場合には、捕捉されている特定の拡散スペクトル信号の第２の仮説に対応したＰＮシーケンスの第２のセットを供給するようにＰＮ発生器に命じるように構成された制御装置とをさらに備えており、
第２のセットの中のＰＮシーケンスは第１のセットの中のＰＮシーケンスと相関していない受信装置。
【請求項１１】
第２のセットに対するＰＮシーケンスは、第１のセットに対するＰＮシーケンスの逆数である請求項１０記載の受信装置。
【請求項１２】
第１のセットに対するＰＮシーケンスは以下の特性多項式：
ＰI,1 ＝ｘ15＋ｘ13＋ｘ9 ＋ｘ8 ＋ｘ7 ＋ｘ5 ＋１，
ＰQ,1 ＝ｘ15＋ｘ12＋ｘ11＋ｘ10＋ｘ6 ＋ｘ5 ＋ｘ4 ＋ｘ3 ＋１
に基づいて発生される請求項１０記載の受信装置。
【請求項１３】
第２のセットに対するＰＮシーケンスは以下の特性多項式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生される請求項１２記載の受信装置。
【請求項１４】
ＰＮ発生器は、第１のセットのＰＮシーケンスを記憶するように構成されたメモリ装置を備えている請求項１０記載の受信装置。
【請求項１５】
メモリ装置は、第１のセットのＰＮシーケンスを検索するために第１の方向にアクセスされ、第２のセットのＰＮシーケンスを検索するために第２の方向にアクセスされる請求項１４記載の受信装置。
【請求項１６】
ＰＮ発生器は、第１および第２のセット中のＰＮシーケンスを規定する１組の特性多項式を構成するように構成された１組の線形フィードバックシフトレジスタを備えている請求項１０記載の受信装置。
【請求項１７】
特定の拡散スペクトル信号はＩＳ−９５−Ａ標準規格に従っている請求項１０記載の受信装置。
【請求項１８】
パイロットデータを受取って、１組のＰＮシーケンスにより拡散し、拡散されたパイロットデータを出力するように構成されたスプレッダと、
スプレッダに結合され、以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力するように構成されたＰＮ発生器と、
スプレッダに結合され、拡散されたパイロットデータを変調して変調された信号を出力するように構成された変調器と、
変調器に結合され、変調された信号を受取って調整し、拡散スペクトル信号を出力するように構成された送信機とを備えている送信装置。
【請求項１９】
拡散パイロットデータは時間的にゲートされる請求項１８記載の送信装置。
【請求項２０】
パイロットデータは、全てゼロのシーケンスを含んでいる請求項１８記載の送信装置。
【発明の詳細な説明】
【技術分野】
【０００１】
本発明は無線通信に関する。とくに、本発明は、拡散スペクトル通信システム用の擬似ランダム数（ＰＮ）発生器に関する。
【背景技術】
【０００２】
符号分割多元接続（ＣＤＭＡ）変調技術の使用は、非常に多数のシステムユーザが加入している通信を容易にするいくつかの技術の１つである。時分割多元接続（ＴＤＭＡおよびＧＳＭ（登録商標））、周波数分割多元接続（ＦＤＭＡ）のような別の多元接続通信システム技術、ならびに振幅圧伸シングルサイドバンド（ＡＣＳＳＢ）のようなＡＭ変調方式が技術的に知られているが、ＣＤＭＡの拡散スペクトル変調技術には、多元接続通信システムに対してこれらの他の変調技術より優れた利点がある。多元接続通信システムにおけるＣＤＭＡ技術の使用は、それらの権利が本出願人に譲渡され、この明細書において共に参考文献とされている米国特許第 4,901,307号明細書（1990年 2月13日出願“SPREAD SPECTRUM MULTIPLE ACCESS COMMUNICATION SYSTEM USING SATELLITE OR TERRESTRIAL REPEATERS ”）および第 5,103,459号明細書（1992年 4月 7日出願“SYSTEM AND METHOD FOR GENERATING SIGNAL WAVEFORMS IN A CDMA CELLULAR TELEPHONE SYSTEM ”）に開示されている。
【０００３】
ＣＤＭＡシステムは典型的に、特定のＣＤＭＡ標準規格に従うように設計されている。このようなＣＤＭＡ標準規格の例には、“２重モード広帯域拡散スペクトルセルラーシステムに対するＴＩＡ／ＥＩＡ／ＩＳ−９５−Ａ移動局−基地局適合性標準規格”（以降、ＩＳ−９５−Ａ）、および“Recommended Minimum Performance Standard for Dual-Mode Spread Spectrum Cellular and PCS Mobile Stations ”と題されたＴＩＡ／ＥＩＡ／ＩＳ−９８−Ａ，−Ｂおよび−Ｃ標準規格が含まれている。
【０００４】
ＣＤＭＡシステムは、利用可能なシステム帯域幅全体にわたって送信されたデータを１組の同位相および直交位相擬似ランダム雑音（ＰＮ）シーケンスでスペクトル的に拡散する直接シーケンス拡散スペクトルシステムである。ＰＮシーケンスが選択されたのは、優れた性能を提供するある重要な“ランダム”特性のためである。各ＣＤＭＡ標準規格は、データを拡散するために使用されるべき特定のＰＮシーケンスを規定している。
【０００５】
ＣＤＭＡシステムにおいて、特定の地理的領域は多数の隣接したセルに分割されることができ、各セルは多数のセクタにさらに分割されることができる。各セルまたはセクタは、そのセルまたはセクタカバレージ領域内またはその付近に位置する多数の移動局と通信している基地局によりサービスされる。順方向リンクとは基地局から移動局に対する送信を指し、逆方向リンクは移動局から基地局に対する送信を指している。順方向リンクおよび逆方向リンクは、別々の周波数を割当てられている。
【０００６】
ＩＳ−９５−Ａ標準規格に従っているＣＤＭＡシステムに関しては、送信している各基地局はＰＮシーケンスの特定のオフセットを割当てられる。とくに、ＩＳ−９５−Ａ標準規格によると、基地局はそれぞれ、５１２の可能なオフセットの１つを割当てられる。割当てられたオフセットにより、移動局は、それが通信している各基地局を識別することが可能となる。
【０００７】
順方向リンクにおいて、パイロット信号は典型的に基地局により送信され、移動局によって捕捉のために使用される。ＩＳ−９５−Ａに従ったシステムについては、パイロット信号は、割当てられたオフセットでＰＮシーケンスが伝送されたものに過ぎない。パイロット信号は、移動局がローカル基地局を適切に捕捉することを可能にする。移動局はまた、同期情報および相対信号パワー情報をその受信されたパイロット信号から導き出す。
【０００８】
無線通信の需要が増加しているので、１つの地理的領域が多数の拡散スペクトルシステムを含んでいる可能性がある。たとえば、その地理的領域は、セルラー周波数帯域で動作されているあるＣＤＭＡシステムと、ＰＣＳ（または別のもの）周波数帯域で動作されている別のＣＤＭＡシステムとによって同時にサービスされる可能性がある。移動局は１以上のＣＤＭＡシステムを捕捉し、これと通信する能力を備えたものとして設計されることができる。捕捉プロセス中、これらの種々のＣＤＭＡシステムの基地局が類似したＰＮシーケンスを使用して送信を行った場合、移動局はこれらのシステムからのパイロット信号を容易に区別することができない可能性がある。その結果、所望のシステムを捕捉して識別する付加的な信号処理が必要になる可能性があり、それは捕捉プロセス時間を長くする可能性が高い。
【０００９】
したがって、多システム環境中で特定のＣＤＭＡシステムを検出して捕捉することを助ける技術が強く要望されている。
【発明の概要】
【００１０】
本発明は、移動局が順方向リンク拡散スペクトル信号を多数のＣＤＭＡシステムから受信する、あるいは移動局が受信された信号の発信元のアプリオリ知識を有しない拡散スペクトル環境における捕捉プロセスを改善する技術を提供する。本発明によると、種々のＣＤＭＡシステムからの拡散スペクトル信号はＰＮシーケンスの種々のセットにより拡散され、各セットからのＰＮシーケンスは別のセット中のＰＮシーケンスとは相関されていない。相関されていないＰＮシーケンスを使用することにより、所望しないシステムからパイロット信号を検出する可能性が減少され、あるいは最小にされ、所望のシステムからパイロット信号を捕捉する平均時間が改善される。
【００１１】
本発明の１実施形態は、特定の拡散スペクトル信号がＰＮシーケンスの特定のセットにより拡散される、多数の拡散スペクトル信号の特定の１つを捕捉する方法を提供する。この方法によると、ＰＮシーケンスの第１のセットが識別され、それは捕捉されている特定の拡散スペクトル信号の第１の仮説に対応している。その後、受信された信号はパイロット信号を抽出するために識別されたＰＮシーケンスのセットにより処理される。抽出されたパイロット信号に対する計量が計算されて、そのパイロット信号が捕捉されたかどうかを決定するために使用される。パイロット信号が捕捉されていないと決定された場合には、特定の拡散スペクトル信号の第２の仮説に対応したＰＮシーケンスの第２のセットが選択され、受信された信号を処理するために使用される。第２のセット中のＰＮシーケンスは第１のセットの中のＰＮシーケンスに対して相関していない。
【００１２】
特定の構成において、第２のセット中のＰＮシーケンスは第１のセット中のＰＮシーケンスの逆数である。第１のセット中のＰＮシーケンスはＩＳ−９５−Ａ標準規格によって規定された特性多項式に基づいて発生されることができる。
【００１３】
本発明の別の実施形態は、複数の拡散スペクトル信号の特定の１つを捕捉するように構成可能な受信装置に対する方法を提供する。受信装置は受信機と、復調器と、デスプレッダと、ＰＮ発生器と、処理装置と、および制御装置とを備えている。受信機は、特定の拡散スペクトル信号を含んでいる受信された信号を受取って調整し、調整された信号を出力する。復調器は調整された信号を復調してベースバンド信号を供給し、デスプレッダは第１のセットのＰＮシーケンスによりベースバンド信号をデスプレッドし、デスプレッドされた信号を出力する。ＰＮ発生器は第１のセットのＰＮシーケンスを供給し、その第１のセットのＰＮシーケンスは複数のセットのＰＮシーケンス中から選択され、捕捉されている特定の拡散スペクトル信号の第１の仮説に対応している。処理装置はデスプレッドされた信号を処理して、パイロット信号を抽出し、その抽出されたパイロット信号に対する計量値を計算する。制御装置は、計算された計量値に部分的に基づいてパイロット信号が捕捉されたかどうかを決定する。パイロット信号が捕捉されていないと決定された場合、制御装置は、捕捉されている特定の拡散スペクトル信号の第２の仮説に対応したＰＮシーケンスの第２のセットを供給するようにＰＮ発生器に命じる。第２のセットの中のＰＮシーケンスは第１のセットの中のＰＮシーケンスと相関していない。
【００１４】
再び特定の構成において、第２のセット中のＰＮシーケンスは、第１のセット中のＰＮシーケンスの逆数である。第１のセットに対するＰＮシーケンスはまたＩＳ−９５−Ａ標準規格によって規定された特性多項式に基づいて発生されることができる。
【００１５】
本発明のさらに別の実施形態はスプレッダと、ＰＮ発生器と、変調器と、および送信機とを備えた送信装置を提供する。スプレッダはパイロットデータを受取って、１組のＰＮシーケンスにより拡散し、拡散されたパイロットデータを提供する。ＰＮ発生器はＰＮシーケンスのセットを供給し、このＰＮシーケンスのセットは以下の特性方程式：  
ＰI,2 ＝ｘ15＋ｘ10＋ｘ8 ＋ｘ7 ＋ｘ6 ＋ｘ2 ＋１，  
ＰQ,2 ＝ｘ15＋ｘ12＋ｘ11＋ｘ10＋ｘ9 ＋ｘ5 ＋ｘ4 ＋ｘ3 ＋１  
に基づいて発生される。変調器は、拡散されたパイロットデータを変調して変調された信号を供給し、送信機は変調された信号を受取って調整し、拡散スペクトル信号を供給する。パイロットデータはゲート制御されることができる。
【図面の簡単な説明】
【００１６】
【図１】ＣＤＭＡ通信システムにおいて拡散スペクトル信号を発生する送信装置の特定の実施形態のブロック図。
【図２】ＩＳ−９５−Ａ標準規格に従っている送信装置に対するエンコーダおよびスプレッダの１実施形態のさらに詳細なブロック図。
【図３】拡散スペクトル信号を受信して処理する受信装置の特定の実施形態のブロック図。
【図４】受信装置内のデコーダの１実施形態のブロック図。
【図５】移動局の捕捉プロセスの１実施形態のフロー図。
【図６】ＩＳ−９５−Ａ標準規格により規定された特性多項式にしたがって同位相ＰＮシーケンスを発生するＰＮ発生器の１実施形態のブロック図。
【図７】図６中の発生されたＰＮシーケンスの逆数である同位相ＰＮシーケンスを発生するＰＮ発生器の１実施形態のブロック図。
【詳細な説明】
【００１７】
以下の詳細な説明および添付図面から、本発明の特徴、性質および利点がさらに明らかになる。なお、図面において同じ参照符号は一貫して対応的に使用されている。  
図１はＣＤＭＡ通信システムで拡散スペクトル信号を発生する送信装置100 の特定の実施形態のブロック図である。送信装置100 内ではデータソース112 からのデータはデータフレームに区画され、エンコーダ114 へ与えられる。制御装置116 は区画と、データソース112 からのデータの転送を指令でき、また付加的なデータおよびメッセージをエンコーダ114 へ与えることができる。エンコーダ114 は特定のエンコードフォーマットにしたがって受信されたデータおよびメッセージをエンコードし、エンコードされたデータをスプレッダ118 へ与える。スプレッダ118 はまた１セットの疑似ランダム雑音（ＰＮ）シーケンスをＰＮ発生器120 から受信し、エンコードされたデータおよびメッセージをＰＮシーケンスによりスペクトル的に拡散して拡散データを生成する。拡散データは変調器（ＭＯＤ）122 へ与えられ、この変調器122 はＩＦ変調された信号を発生するために特定の変調フォーマット（例えばＱＰＳＫまたはＯＱＰＳＫ）にしたがって中間周波数搬送波信号（ＩＦ ＬＯ）によりデータを変調する。
【００１８】
ＩＦ変調された信号は送信機（ＴＭＴＲ）130 へ与えられ、送信機130 は信号をバッファし増幅し、信号を無線周波数（ＲＦ）に上方変換し、ＲＦ信号を濾波し増幅してＲＦ変調された信号を発生する。ＲＦ変調された信号はその後、アイソレータとデュプレクサを通じて伝送され、アンテナ132 により拡散スペクトル信号として送信される。図１の幾つかの素子をさらに詳細に以下説明する。
【００１９】
送信装置100 は特定の符号分割多元アクセス（ＣＤＭＡ）標準規格を実行するように設計されることができる。例えば、送信装置100 は（１）“TIE/EIA/IS-95-A Mobile Station-Base Station Compatibility Standard for Dual-Mode Wideband Spread Spectrum Cellular System ”、（２）“TIE/EIA/IS-98-A,-b,-C の“Recommended Minimum Performance Standard for Dual-Mode Spread Spectrum Cellular and PCS Mobile Stations ”、（３）“The cdma2000 ITU-R RTT Candidate Submission ”、および（４）ここではIS-95-A 標準規格と、IS-98 標準規格と、IS-2000 標準規格または提案、WCDMA 標準規格または提案とそれぞれ呼ばれている“The ETSI UMTS Terrestrial Radio Access(UTRA)ITU-R RTT Candidate Submission”に準じるように設計されることができる。これらの標準規格はここでは参考文献とされている。
【００２０】
送信装置100 はまた本出願人に譲渡され、ここで参考文献とされている米国特許第08/963,386号明細書（発明の名称“METHOD AND APPARATUS FOR HIGH RATE PACKET DATA TRANSMISSION ”）に記載されているＣＤＭＡシステムのような標準規格ではまだ規定されていない特定のＣＤＭＡアーキテクチャを構成するように設計されることもできる。
【００２１】
図２はIS-95-A に標準規格にしたがって送信装置のエンコーダ114 とスプレッダ118 の１実施形態のさらに詳細なブロック図を示している。パイロットチャンネルデータはデータをウォルシュコード０（即ち６４ビットの全てゼロのシーケンス）でカバーするチャンネルカバー素子220Aに与えられる。IS-95-A 標準規格にしたがって、パイロットチャンネルデータは全てゼロのシーケンスであり、カバーされたパイロットデータもまた全てゼロのシーケンスである。カバーされたパイロットデータはその後、同位相ＰＮシーケンス（ＰＮＩ）と直角位相ＰＮシーケンス（ＰＮＱ）をそれぞれ受信するスプレッダ222Aと222Bに与えられる。各スプレッダ222 はそれぞれのＰＮシーケンスで受信されたデータを拡散し、拡散データをスケーラおよび加算器226 へ与える。
【００２２】
同期（ｓｙｎｃ）チャンネルデータはデータを特定のコード化フォーマットでエンコードするエンコーダ210Aに与えられる。IS-95-A 標準方式にしたがって、エンコーダ210Aは１セットの巡回冗長検査（ＣＲＣ）ビットを発生して、添付し、１セットのコードテールビットを添付し、データを畳み込みエンコードし、コードシンボルを発生するためにビットを添付し、特定のシンボルレートを有するエンコードされたデータを与えるようにシンボルを反復する。エンコードされたデータは特定の順序付けフォーマットを用いてシンボルを再度順序付けするブロックインターリーバ212Aに与えられる。インターリーブされたデータはデータをウォルシュコード32（即ち３２のゼロとそれに後続する３２の１からなる６４ビットシーケンス）でカバーするチャンネルカバー素子220Bに与えられる。カバーされた同期データは同期データを同位相および直角位相ＰＮシーケンスでそれぞれ拡散するスプレッダ222Cと222Dへ与えられ、拡散データをスケーラおよび加算器226 へ与える。
【００２３】
トラフィックチャンネルデータ（即ちデータ通信用）はデータを特定のコード化フォーマットでエンコードするエンコーダ210Bに与えられる。エンコーダ210Bは１セットのＣＲＣビットを発生して添付し、１セットのコードテールビットを添付し、データおよび添付されたビットをデータレートに基づいて選択されることのできる特定の畳み込みコードでエンコードし、特定のシンボルレートを有するエンコードされたデータを与えるためコードシンボルを反復する。エンコードされたデータは特定の順序付けフォーマットを使用してシンボルを順序付けるブロックインターリーバ212Bへ与えられ、インターリーブされたデータをスクランブラ214 へ与える。スクランブラ214 はまた長いＰＮ発生器216 から長いＰＮシーケンスを受信し、スクランブルされたデータを発生するため長いＰＮシーケンスでデータをスクランブルする。マルチプレクサ（ＭＵＸ）218 はスクランブルされたデータとパワー制御データを受信し、デシメータ217 からの制御信号に応じてスクランブルされたデータまたはパワー制御データを選択し、選択されたデータをチャンネルカバー素子220Cへ与える。
【００２４】
チャンネルカバー素子220Cは特定の移動局との通信に割当てられる特定のウォルシュコードＷi でデータをカバーする。カバーされたトラフィックデータは受信されたデータをそれぞれ同位相および直角ＰＮシーケンスで拡散するスプレッダ222Eと222Fへ与えられ、拡散データをスケーラおよび加算器226 へ与える。スケーラおよび加算器226 はまた他のトラフィックチャンネルの拡散データを受信し、各トラフィックチャンネルデータをパワー制御機構にしたがってスケールし、パイロット、同期、スケールされたトラフィックデータを結合して、結果的な拡散データを与える。
【００２５】
図２では、データ、ＰＮシーケンス、ウォルシュシーケンスはそれぞれ１ビットの解像度を有するので、チャンネルカバー素子220 、スプレッダ222 、スクランブラ214 はそれぞれモジュロ−２加算器（例えば排他的ＯＲゲート）で構成されることができる。
【００２６】
図３は拡散スペクトル信号を受信し処理する受信装置300 の特別な実施形態のブロック図を示している。信号はアンテナ310 により受信され、信号を増幅し、濾波し、下方変換する受信機（ＲＣＶＲ）312 へ与えられる。結果的な中間周波数（ＩＦ）の変調された信号は、送信ソースで使用される変調フォーマットに相補的な復調フォーマット（例えばＱＰＳＫとＯＱＰＳＫ）を使用して信号を復調する復調器（ＤＥＭＯＤ）314 に与えられる。復調された同位相（Ｉ）および直角位相（Ｑ）データはＰＮ発生器318 からの同位相および直角ＰＮシーケンスによってデータをデスプレッドするデスプレッダ316 へ与えられる。デスプレッドされたデータは送信ソースで行われるエンコード規格に対して相補的なデコード規格でデータをデコードするデコーダ320 へ与えられる。デコードされたデータはデータシンク322 へ与えられる。制御装置330 はデコードされたデータと他の情報をデコーダ320 から受信し、ＰＮ発生器318 の動作を指令する。
【００２７】
図４はデコーダ320 の１実施形態のブロック図を示している。パイロットデータを再生するため、デスプレッダ316 からのデスプレッドされたデータはチャンネルのコヒーレンスと一貫した特定の時間期間にわたって各復調されたＩおよびＱデータを累算するフィルタ410 に与えられる。濾波されたＩおよびＱデータはその後、各ＩおよびＱデータを二乗し、二乗されたデータを合計する素子412 へ与えられる。素子412 からの出力はパイロット強度（Ｅ0 ／Ｉ0 ）の評価値であり、制御装置330 へ与えられる。
【００２８】
制御装置330 はパイロットデータの計量を計算する。１実施形態では、制御装置330 は特定の時間間隔にわたって二乗されたデータを合計することによりパイロット信号のエネルギを計算する（例えば６４データ値）。パイロットエネルギの計算は米国特許第5,805,648 号明細書（発明の名称“METHOD AND APPARATUS FOR PERFORMING SEARCH AQUISITION IN A CDMA COMMUNICATION SYSTEM”、1998年９月８日）と、米国特許第5,903,554 号明細書（発明の名称“METHOD AND APPARATUS FOR MEASURING LINK QUALITY IN A SPREAD SPECTRUM COMMUNICATION SYSTEM ”、1999年５月11日）に記載されており、この両特許は本出願人に譲渡され、ここで参考文献とされる。計算された計量（例えば計算されたパイロットエネルギ測定）を行うためにデスプレッドされたデータを処理する素子（例えばフィルタ410 、素子412 、制御装置部分330 ）は総称して処理装置と呼ばれる。
【００２９】
復調されたＩおよびＱデータもまたウォルシュデカバラ420 へ与えられ、これは処理されている同期またはトラフィックチャンネルに対応する特定のウォルシュコードでデータをデカバーする。デカバーされたデータはデータ復調器422 へ与えられ、このデータ復調器422 はフィルタ410 から濾波されたＩおよびＱデータも受信する。濾波されたＩおよびＱデータはデータ復調で位相および振幅の基準として使用される。データ復調器422 の出力はその後、送信ソースで実行されるエンコードに相補的な方法でデータをデコードするデコーダ424 に与えられる。特にデコーダ424 はデカバーされたデータを再度順序付けし、（例えばビタビデコーダを使用して）再度順序付けされたデータを畳み込みデコードし、デコードされたデータをＣＲＣビットでチェックする。デコードされたデータは制御装置330 に与えられる。
【００３０】
パイロットチャンネルはタイミング情報を抽出し、順方向リンクの品質を決定するために移動局により処理され使用される。パワーアップのとき、または別の通信システム（例えばアナログシステムまたは別のＣＤＭＡシステム）から転送されるとき、移動局は初期状態に転移し、それによって１以上の基地局からの送信をサーチする。初期化された移動局はその後、捕捉された基地局との通信を受信または初期化する準備をする。
【００３１】
図５は移動局の捕捉プロセスの１実施形態のフロー図である。捕捉プロセスは移動局が初期状態にあるときに実行される。パワーアップのとき、または別の動作状態から、移動局はシステム決定状態510 に入る。状態510 では移動局はチャンネルフィールドＣＤＭＡＣＨg を使用しこれを１次または２次ＣＤＭＡチャンネル番号に設定するために特定のＣＤＭＡシステムを選択する。その代わりに、移動局は別のタイプのシステム（例えばアナログシステム）で動作するように選択でき、状態511 に転移する。ＣＤＭＡシステムが選択されるならば、移動局はパイロットチャンネル捕捉状態512 に入る。
【００３２】
状態512 では、移動局は選択されたＣＤＭＡシステムのパイロットチャンネルを捕捉しようとする。移動局はチャンネルフィールドＣＤＭＡＣＨg 中で識別されたＣＤＭＡチャンネル番号に同調し、パイロットチャンネルのそのチャンネルコードを設定し、パイロット信号をサーチする。移動局が第１の特定の時間期間Ｔ１内でパイロットチャンネルを適切に捕捉したならば、同期チャンネル捕捉状態514 に入る。そうでなければ、移動局が時間期間Ｔ１内にパイロットチャンネルを捕捉することに失敗したならば、システム決定状態510 に戻る。
【００３３】
状態514 では、移動局はシステム構造とタイミング情報を得るために同期チャンネルで同期チャンネルメッセージを受信し処理する。移動局が有効な同期チャンネルメッセージを第２の時間期間Ｔ２内に受信し、移動局によりサポートされるプロトコル改訂レベルが基地局によりサポートされる最小のプロトコル改訂レベル以上であるならば、移動局は同期チャンネルメッセージから情報のセットを抽出して記憶する。移動局はその後、タイミング変更状態516 に入る。
【００３４】
状態516 では、移動局はその長いＰＮコードタイミングおよびシステムタイミングを捕捉されたＣＤＭＡシステムのものに同期する。このタイミングの同期は受信された同期チャンネルメッセージから抽出された情報を使用して行われる。移動局はまた他の内部レジスタを初期化し、移動局アイドル状態（図５では示されていない）に入る。移動局はその後、捕捉された基地局との通信を待機する。
【００３５】
状態514 に戻ると、移動局が時間期間Ｔ２内で有効な同期チャンネルメッセージを受信しないならば、移動局はシステム決定状態510 に戻る。また移動局が有効な同期チャンネルを時間期間Ｔ２内で受信するが移動局によりサポートされるプロトコル改訂レベルが基地局によりサポートされる最小のプロトコル改訂レベルよりも下であるならば、移動局はまたシステム決定状態510 に戻る。
【００３６】
パイロットチャンネルまたは同期チャンネルの捕捉における失敗のために、移動局が状態510 に戻るならば、移動局はチャンネルフィールドＣＤＭＡＣＨg を別のチャンネル番号（例えば１次または２次）へ設定し、その別のＣＤＭＡチャンネルで捕捉しようとする。移動局はシステム選択プロセスを実行する前に、１次または２次チャンネルを捕捉する試みをいくらか実行してもよい。捕捉プロセスはさらにIS-95-A 標準規格に記載されている。
【００３７】
パイロット信号はＰＮ位相および周波数で移動局を基地局からの送信に同期させるために使用される。パイロット信号の捕捉は位相および周波数との両者を追跡するためのハードウェアを含んでいる“サーチャ”により実行され、受信装置内に位置されている。最初に、移動局はその周波数をパイロット信号の周波数に近い周波数に設定する。サーチャは受信された信号の位相を捕捉し、その後、信号の周波数を捕捉する。
【００３８】
受信されたパイロット信号の位相を決定するため、位相の特定のサブセットは全ての可能な位相オフセットから選択され試験される。選択された位相オフセットのサブセットはウィンドウと呼ばれる。移動局はウィンドウ内の任意の位相オフセットが受信された信号の位相オフセットと同期されるか否かを決定する。
【００３９】
ＣＤＭＡ通信システムでパイロット信号を捕捉する方法および装置は前述の米国特許第5,805,648 号明細書に記載されている。説明された方法にしたがって、ウィンドウからの特定のＰＮオフセットが選択されＰＮ発生器はこのオフセットに設定される。受信された信号は選択されたオフセットを有するＰＮシーケンスでデスプレッドされ、パイロットのエネルギは特定の時間間隔（即ち特定の数のＰＮチップ）にわたって計算される。計算されたエネルギが検出しきい値を超えるならば、ＰＮオフセットは特定の回数走査され、パイロットエネルギは各走査に対して計算される。全ての走査に対する計算されたエネルギが確認しきい値を超えたならば、パイロットチャンネルは適切に捕捉されたとして識別される。
【００４０】
そうでなければ、特定のＰＮオフセットに対する計算されたエネルギが最初の走査中に検出しきい値よりも下であるか、計算されたエネルギが再走査中に確認しきい値よりも下であるならば、ウィンドウの別のＰＮオフセットが選択され試験される。ウィンドウに対する全てのＰＮオフセットが失敗したならば、可能なＰＮオフセットの別のウィンドウが選択され走査される。全てのウィンドウが走査されパイロットチャンネルが依然として捕捉されないならば、サーチ基準が変更され、捕捉プロセスが反復されてもよい。例えば、ウィンドウサイズ、コヒーレントでなく累算するためのチップ数、コヒーレントに累算する回数は変更されることができる。
【００４１】
拡散スペクトル通信システムでは、ＰＮシーケンスはある重要な“ランダム性の”特性を有するように慎重に選択される。幾つかのこれらの特性は以下のように分類される。  
Ｒ−１：ゼロ（“０”）および１（“１”）の相対的頻度はそれぞれ５０％である。  
Ｒ−２：（０と１の）ランレングスはコインフリッピング実験において予測される。全てのランレングスの半分は１（即ち単一の１または単一の０）であり、４分の１はレングス２であり、８分の１はレングス３であり、以下同様である。全てのランの分数１／２n の割合は全ての有限数ｎに対してレングスｎである。  
Ｒ−３：ランダムシーケンスが任意のゼロではない素子数によりシフトされるならば、結果的なシーケンスはオリジナルシーケンスとのアグリーメントおよびディスアグリーメントと同数を有する。
【００４２】
IS-95-A 標準規格は送信前にデータの拡散で使用される特別なＰＮシーケンスセットを規定している。同位相および直角位相ＰＮシーケンスはそれぞれ２15（即ち３２，７６８ＰＮチップ長）を有し、以下の特性多項式に基づいて生成される。  
ＰI.1 ＝ｘ15＋ｘ13＋ｘ9 ＋ｘ8 ＋ｘ7 ＋ｘ5 ＋１    （１）  
ＰQ.1 ＝ｘ15＋ｘ12＋ｘ11＋ｘ10＋ｘ6 ＋ｘ5 ＋ｘ4 ＋ｘ3 ＋１  （２）  
図６は式（１）で示されている特性多項式にしたがって同位相ＰＮシーケンスを生成するためのＰＮ発生器600Aの１実施形態のブロック図を示している。このＰＮ発生器600Aは縦続で結合された多数の遅延素子610A乃至610Oを含んでいる。遅延素子610 は所望のＰＮオフセットに基づいて１セットの値で初期化される。遅延素子610B、610F、610G、610H、610Jからの出力はモジュロ−２加算器612A乃至612Eへそれぞれ与えられる。加算器612A乃至612Eはまた加算器612B乃至612Eと遅延素子610Oからそれぞれ出力を受信する。各加算器612 は２つの入力のモジュロ−２加算を実行し、結果をその出力に与える。加算器612Aからの出力は遅延素子610Aに与えられる。
【００４３】
ＰＮ発生器600AからのＰＮＩ １シーケンスは２15−１（即ち３２，７６７）の長さを有し、ほぼ前述の“ランダム性”特性を与える。１４の連続的なゼロが検出されるときにはいつでも、付加的なゼロ（０）はＰＮＩ １シーケンスに挿入される。付加的なゼロにより、出力ＰＮシーケンスはｎ≦１５に対して前述の特性を与える。類似のＰＮ発生器は式（２）で示されている特性多項式にしたがって直角ＰＮシーケンスを発生するために使用されることができる。
【００４４】
IS-95-A 標準規格により規定されるＰＮシーケンスは前述の所望の“ランダム性”特性を有し、拡散スペクトルシステムにおいて優れた性能を与える。さらに、これらのＰＮシーケンスは使用年間から時間を試験される。結果として、さらに新しいＣＤＭＡシステムおよび標準規格がIS-95-A 標準規格により規定されるＰＮシーケンスと同一のＰＮシーケンスを採択する。
【００４５】
しかしながら、多数のＣＤＭＡシステムが特定の地理的区域内で動作され、これらのシステムが拡散のために同一のセットのＰＮシーケンスを使用するとき、これらのシステムに対するパイロットチャンネルの捕捉はより難しくなる。移動局はこれらの種々のＣＤＭＡシステムの全ての送信している基地局からの拡散スペクトル信号の組合わせである複合信号を受信する。移動局は１つのシステムを選択し、選択されたシステムに対応するＰＮシーケンスを使用して受信された信号を捕捉し処理する。捕捉プロセス中、移動局は受信された信号を選択されたＰＮシーケンスの種々のオフセットでデスプレッドし、これらの種々のオフセットに対するパイロットエネルギを計算する。
【００４６】
多数のＣＤＭＡシステムがパイロットデータを拡散するために同じＰＮシーケンスを使用する場合には、移動局は検出されたパイロット信号が属するシステムを効率よく決定することができない。結果として、移動局はしばしば誤ってパイロット信号を検出する（即ち、実際に捕捉されたパイロットチャンネルが不所望のシステムからであるときに、所望のシステムのパイロットチャンネルが捕捉されていることを示す）。特定のＣＤＭＡシステムを捕捉しようとするとき、不所望のシステムからの検出されたパイロット信号は移動局を次の動作状態へ前進させることができ、それによって同期チャンネルは同期チャンネルメッセージを捕捉するように処理される。移動局は不所望の拡散スペクトル信号が捕捉されていることを同期チャンネルメッセージから知り、パイロット捕捉動作状態に戻る。繰り返されたパイロット信号の誤った検出と、同期チャンネルメッセージの捕捉は捕捉プロセスを長引かせ、それによって移動局の性能を劣化する。
【００４７】
１実施形態では、同一場所に位置する拡散スペクトルシステムに対するＰＮシーケンスはその地理区域で動作する他の拡散スペクトルシステムのＰＮシーケンスに対して相関がないように選択される。相関のないＰＮシーケンスのセットの使用はパイロット信号の誤った検出数を減少または最少にし、捕捉プロセスの速度を上げることができる。
【００４８】
捕捉の改良は２つのＣＤＭＡシステムが特定のカバー区域内で動作している例によって示されることができる。第１のシナリオでは、両者のＣＤＭＡシステムは同一セットのＰＮシーケンス（例えばIS-95-A 標準規格により規定されるＰＮシーケンス）をパイロットおよびトラフィックデータを拡散するために使用する。捕捉プロセス中、移動局は同じＰＮシーケンスのセットを使用し、種々のＰＮオフセットでパイロットエネルギを計算し、パイロット信号が計算されたパイロットエネルギに基づいて捕捉されたか否かを決定する。移動局は同期チャンネルメッセージの捕捉等の付加的な信号処理を実行しない限り、どちらのＣＤＭＡシステムが捕捉されたか、または捕捉されたシステムが所望のシステムであるか否かを決定できない。認められるように、第２のＣＤＭＡシステムのパイロット信号を捕捉しようとするとき、第１のＣＤＭＡシステムのパイロット信号の誤った検出は捕捉プロセスを延期できる。
【００４９】
第２のシナリオでは、各ＣＤＭＡシステムは他のＣＤＭＡシステムのＰＮシーケンスに対して相関されない異なるセットのＰＮシーケンスを使用する。捕捉プロセス中、移動局は所望のＣＤＭＡシステムに対応するＰＮシーケンスのセットを選択する。多数のシステムが送信中であるならば、他のシステムのパイロット信号はＰＮシーケンスの選択されたセットに相関されずほとんど検出されないので、移動局は所望のシステムからの信号だけをサーチできる。これは不所望のシステムからのパイロット信号の誤った検出を防止する。
【００５０】
１実施形態では、別のＣＤＭＡシステムのＰＮシーケンスは同一位置に位置する（例えばIS-95-A コンプライアント）のＣＤＭＡシステムのＰＮシーケンスに相関されないように選択される。１実施形態では、別のＣＤＭＡシステムのＰＮシーケンスはIS-95-A により規定されるＰＮシーケンスの逆方向（時間的）であるように選択される。相関されていないＰＮシーケンスは２15（即ち３２，７６８ＰＮチップの長さ）を有し、以下の特性多項式に基づいて生成される。  
ＰI.2 ＝ｘ15＋ｘ10＋ｘ8 ＋ｘ7 ＋ｘ6 ＋ｘ2 ＋１    （３）  
ＰQ.2 ＝ｘ15＋ｘ12＋ｘ11＋ｘ10＋ｘ9 ＋ｘ5 ＋ｘ4 ＋ｘ3 ＋１  （４）  
図７は式（３）で示されている特性多項式にしたがって同位相ＰＮシーケンスを発生するためのＰＮ発生器600Bの１実施形態のブロック図を示している。ＰＮ発生器600Bは縦続接続されている複数の遅延素子620A乃至620Oを含んでいる。遅延素子620 は所望のＰＮオフセットに基づいて１組の値で初期化される。遅延素子620C、620G、620H、620I、620Kからの出力はそれぞれモジュロ−２加算器622A乃至622Eにそれぞれ与えられている。加算器622A乃至622Eはまた遅延素子620Aと加算器622A乃至622Dからそれぞれ出力を受信する。各加算器622 は２つの入力のモジュロ−２加算を行い、その結果をその出力へ与える。加算器622Aからの出力は遅延素子620Oへ与えられている。
【００５１】
ＰＮ発生器600BからのＰＮＩ ２シーケンスは長さ２15−１（即ち３２，７６７）を有し、ほぼ前述の“ランダム性”特性を与える。付加的なゼロ（０）は１４の連続的なゼロが検出されるときにはいつでもＰＮＩ ２シーケンス中へ挿入される。付加的なゼロにより、出力ＰＮシーケンスは前述のランダム性の特性を与える。
【００５２】
ＰＮ発生器600Bにより発生されるＰＮＩ ２シーケンスはＰＮ発生器600Aにより発生されるＰＮＩ １シーケンスに対して（時間的に）逆であるので、ＰＮＩ ２シーケンスもまたＰＮＩ １シーケンスの時間試験されたランダム性の特性を有し、設計の危険性を最少にして新しい拡散スペクトルシステムでの使用に容易に適合されることができる。
【００５３】
特定の実施形態では、ＰＮシーケンスが発生されて移動局内のメモリ装置に記憶される。移動局はまたメモリ装置をアドレスするためのカウンタも維持している。第１のセットのＰＮシーケンスは第１の方向でカウンタを動作する（例えば上方向にカウントする）ことによりメモリ装置から検索され、第２のセットのＰＮシーケンスは第２の方向でカウンタを動作する（例えば下方向にカウントする）ことによりメモリ装置から検索されることができる。
【００５４】
移動局がＣＤＭＡシステムを捕捉しようとし、どのＣＤＭＡシステムが有効であるかについての優先度を知らないならば、移動局は捕捉される拡散スペクトルの特定の仮説に対応するＰＮシーケンスのセットを選択できる。例えば移動局は受信された信号がIS-95-A コンプライアント信号であることを最初に推定することができ、この推定に対応するＰＮシーケンスのセットを選択する。捕捉がこの選択されたＰＮシーケンスのセットで失敗したならば、移動局は別の推定に対応するＰＮシーケンスの別のセット（即ち別のＣＤＭＡシステム）を選択できる。プロセスは所望のシステムが検出されるか、システムが検出されなくなるまで継続（または反復）し続けることができる。
【００５５】
前述の受信装置（および送信装置）の素子は種々の方法で構成されることができる。これらの素子は１以上の集積回路、特定用途向け集積回路（ＡＳＩＣ）、デジタル信号プロセッサ（ＤＳＰ）、制御装置、マイクロプロセッサ、その他ここで説明した機能を実行するように設計された他の回路および／またはソフトウェア、またはそれらの組合わせで構成されることができる。幾つかの実施形態では、ＰＮシーケンスを記憶するためのメモリ装置はランダムアクセスメモリ（ＲＡＭ）、ダイナミックＲＡＭ（ＤＲＡＭ）、フラッシュメモリ、読取り専用メモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）およびその他のメモリ技術によって構成されることができる。
【００５６】
以上説明した本発明は多数の拡散スペクトル通信システムに適用可能である。本発明は既存のＣＤＭＡシステムまたは、継続して考慮される新しいシステムに応用可能である。特別なＣＤＭＡシステムは前述の米国第08/963,386号明細書に記載されている。別のＣＤＭＡシステムは前述の米国第4/901,307 号および第5,103,459 号明細書に記載されている。本発明は拡散スペクトルシステム中の移動局による改良された捕捉性能を与えることができる。
【００５７】
好ましい実施形態の前述の説明は当業者が本発明を実行または使用することを可能にするために行った。これらの実施形態に対する種々の変形は当業者に容易に明白であり、ここで規定されている一般原理は発明力を使用せずに他の実施形態に応用されることができる。したがって、本発明はここで示されている実施形態に限定されず、ここで説明した原理および優秀な特性と一貫している最も広い技術的範囲に従うことを意図している。
【図１】
2011151817.tif 000003
【図２】
2011151817.tif 000004
【図３】
2011151817.tif 000005
【図４】
2011151817.tif 000006
【図５】
2011151817.tif 000007
【図６】
2011151817.tif 000008
【図７】
2011151817.tif 000009
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
パイロットデータを受取って、１組のＰＮシーケンスにより拡散し、拡散されたパイロットデータを出力するように構成されたスプレッダと、
スプレッダに結合され、以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力するように構成されたＰＮ発生器と、
スプレッダに結合され、拡散されたパイロットデータを変調して変調された信号を出力するように構成された変調器と、
変調器に結合され、変調された信号を受取って調整し、拡散スペクトル信号を出力するように構成された送信機とを備えている送信装置。
【請求項２】
拡散パイロットデータは時間的にゲートされる請求項１記載の送信装置。
【請求項３】
パイロットデータは、全てゼロのシーケンスを含んでいる請求項１記載の送信装置。
【手続補正２】
【補正対象書類名】明細書
【補正対象項目名】００５７
【補正方法】変更
【補正の内容】
【００５７】
好ましい実施形態の前述の説明は当業者が本発明を実行または使用することを可能にするために行った。これらの実施形態に対する種々の変形は当業者に容易に明白であり、ここで規定されている一般原理は発明力を使用せずに他の実施形態に応用されることができる。したがって、本発明はここで示されている実施形態に限定されず、ここで説明した原理および優秀な特性と一貫している最も広い技術的範囲に従うことを意図している。
以下に本件出願当初の特許請求の範囲に記載された発明を付記する。
［１］ 特定の拡散スペクトル信号が擬似ランダム雑音（ＰＮ）シーケンスの特定のセットにより拡散される、複数の拡散スペクトル信号の特定の１つを捕捉する方法において、
捕捉されている特定の拡散スペクトル信号の第１の仮説に対応したＰＮシーケンスの第１のセットを識別し、
パイロット信号を抽出するために受信された信号を識別されたＰＮシーケンスのセットにより処理し、
抽出されたパイロット信号に対する計量値を計算し、
そのパイロット信号が、計算された計量値に部分的に基づいて捕捉されたかどうかを決定し、
パイロット信号が捕捉されていないと決定された場合には、
捕捉されている特定の拡散スペクトル信号の第２の仮説に対応したＰＮシーケンスの第２のセットを選択し、その第２のセット中のＰＮシーケンスは第１のセットの中のＰＮシーケンスに相関しておらず、
前記のような処理、計算および決定ステップを繰返すステップを含んでいる方法。
［２］ 第２のセットに対するＰＮシーケンスは、第１のセットに対するＰＮシーケンスの逆数である［１］の方法。
［３］ 第１のセットに対するＰＮシーケンスはメモリ装置中に記憶され、
第１のセットに対するＰＮシーケンスを検索するためにそのメモリ装置に対して第１の方向にアクセスし、
第２のセットに対するＰＮシーケンスを検索するためにそのメモリ装置に対して第２の方向にアクセスするステップをさらに含んでいる［２］の方法。
［４］ 第１のセットに対するＰＮシーケンスは以下の特性多項式：
ＰI,1 ＝ｘ15＋ｘ13＋ｘ9 ＋ｘ8 ＋ｘ7 ＋ｘ5 ＋１，
ＰQ,1 ＝ｘ15＋ｘ12＋ｘ11＋ｘ10＋ｘ6 ＋ｘ5 ＋ｘ4 ＋ｘ3 ＋１
に基づいて発生される［１］の方法。
［５］ 第２のセットに対するＰＮシーケンスは以下の特性多項式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生される［４］の方法。
［６］ 第１および第２のセットに対するＰＮシーケンスはそれぞれ２15の長さを有している［１］の方法。
［７］ 抽出されたパイロット信号に対する計量値は、特定の時間インターバルにわたって計算されたエネルギ測定値である［１］の方法。
［８］ 特定の拡散スペクトル信号は、ＩＳ−９５−Ａ標準規格にしたがって発生される［１］の方法。
［９］ 特定の拡散スペクトル信号は、時間的にゲートされたパイロット信号を含んでいる［１］の方法。
［１０］ 複数の拡散スペクトル信号の特定の１つを捕捉するように構成可能な受信装置において、
特定の拡散スペクトル信号を含んでいる受信された信号を受取って調整し、調整された信号を供給するように構成された受信機と、
受信機に結合され、調整された信号を復調してベースバンド信号を出力するように構成された復調器と、
復調器に結合され、第１のセットのＰＮシーケンスによりベースバンド信号をデスプレッドし、デスプレッドされた信号を出力するように構成されたデスプレッダと、
デスプレッダに結合され、第１のセットのＰＮシーケンスを出力するように構成されたＰＮ発生器とを備えており、
その第１のセットのＰＮシーケンスは複数のセットのＰＮシーケンス中から選択され、捕捉されている特定の拡散スペクトル信号の第１の仮説に対応しており、
デスプレッダに結合され、デスプレッドされた信号を処理して、パイロット信号を抽出し、その抽出されたパイロット信号に対する計量値を計算するように構成された処理装置と、
ＰＮ発生器および処理装置に結合され、計算された計量値に部分的に基づいてパイロット信号が捕捉されたかどうかを決定し、パイロット信号が捕捉されていないと決定された場合には、捕捉されている特定の拡散スペクトル信号の第２の仮説に対応したＰＮシーケンスの第２のセットを供給するようにＰＮ発生器に命じるように構成された制御装置とをさらに備えており、
第２のセットの中のＰＮシーケンスは第１のセットの中のＰＮシーケンスと相関していない受信装置。
［１１］ 第２のセットに対するＰＮシーケンスは、第１のセットに対するＰＮシーケンスの逆数である［１０］の受信装置。
［１２］ 第１のセットに対するＰＮシーケンスは以下の特性多項式：
ＰI,1 ＝ｘ15＋ｘ13＋ｘ9 ＋ｘ8 ＋ｘ7 ＋ｘ5 ＋１，
ＰQ,1 ＝ｘ15＋ｘ12＋ｘ11＋ｘ10＋ｘ6 ＋ｘ5 ＋ｘ4 ＋ｘ3 ＋１
に基づいて発生される［１０］の受信装置。
［１３］ 第２のセットに対するＰＮシーケンスは以下の特性多項式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生される［１２］の受信装置。
［１４］ ＰＮ発生器は、第１のセットのＰＮシーケンスを記憶するように構成されたメモリ装置を備えている［１０］の受信装置。
［１５］ メモリ装置は、第１のセットのＰＮシーケンスを検索するために第１の方向にアクセスされ、第２のセットのＰＮシーケンスを検索するために第２の方向にアクセスされる［１４］の受信装置。
［１６］ ＰＮ発生器は、第１および第２のセット中のＰＮシーケンスを規定する１組の特性多項式を構成するように構成された１組の線形フィードバックシフトレジスタを備えている［１０］の受信装置。
［１７］ 特定の拡散スペクトル信号はＩＳ−９５−Ａ標準規格に従っている［１０］の受信装置。
［１８］ パイロットデータを受取って、１組のＰＮシーケンスにより拡散し、拡散されたパイロットデータを出力するように構成されたスプレッダと、
スプレッダに結合され、以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力するように構成されたＰＮ発生器と、
スプレッダに結合され、拡散されたパイロットデータを変調して変調された信号を出力するように構成された変調器と、
変調器に結合され、変調された信号を受取って調整し、拡散スペクトル信号を出力するように構成された送信機とを備えている送信装置。
［１９］ 拡散パイロットデータは時間的にゲートされる［１８］の送信装置。
［２０］ パイロットデータは、全てゼロのシーケンスを含んでいる［１８］の送信装置。
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
パイロットデータを受取って、ＰＮシーケンスのセットにより拡散し、拡散されたパイロットデータを出力するように構成されたスプレッダと、
スプレッダに結合され、以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力するように構成されたＰＮ発生器と、
スプレッダに結合され、拡散されたパイロットデータを変調して変調された信号を出力するように構成された変調器と、
変調器に結合され、変調された信号を受取って調整し、拡散スペクトル信号を出力するように構成された送信機とを備えている送信装置。
【請求項２】
拡散されたパイロットデータは時間的にゲートされる請求項１記載の送信装置。
【請求項３】
パイロットデータは、全てゼロのシーケンスを含んでいる請求項１記載の送信装置。
【請求項４】
パイロットデータを受取って、ＰＮシーケンスのセットにより拡散し、拡散されたパイロットデータを出力する手段と、
以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力する手段と、
拡散されたパイロットデータを変調して変調された信号を出力する手段と、
変調された信号を受取って調整し、拡散スペクトル信号を出力する手段とを備えている装置。
【請求項５】
拡散されたパイロットデータは時間的にゲートされる請求項４記載の装置。
【請求項６】
パイロットデータは、全てゼロのシーケンスを含んでいる請求項４記載の装置。
【請求項７】
パイロットデータを受取って、ＰＮシーケンスのセットにより拡散し、拡散されたパイロットデータを出力し、
以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力し、
拡散されたパイロットデータを変調して変調された信号を出力し、
変調された信号を受取って調整し、拡散スペクトル信号を出力することを含んでいる方法。
【請求項８】
拡散されたパイロットデータは時間的にゲートされる請求項７記載の方法。
【請求項９】
パイロットデータは、全てゼロのシーケンスを含んでいる請求項７記載の方法。
【請求項１０】
コンピュータに、パイロットデータを受取って、ＰＮシーケンスのセットにより拡散して、拡散されたパイロットデータを出力させるためのコードと、
コンピュータに、以下の特性方程式：
ＰI,2 ＝ｘ15＋ｘ10＋ｘ8 ＋ｘ7 ＋ｘ6 ＋ｘ2 ＋１，
ＰQ,2 ＝ｘ15＋ｘ12＋ｘ11＋ｘ10＋ｘ9 ＋ｘ5 ＋ｘ4 ＋ｘ3 ＋１
に基づいて発生されたＰＮシーケンスのセットを出力させるためのコードと、
コンピュータに、拡散されたパイロットデータを変調して変調された信号を出力させるためのコードと、
コンピュータに、変調された信号を受取って調整して、拡散スペクトル信号を出力させるためのコードとを含んでいるコンピュータ読み取り可能な媒体。
【請求項１１】
拡散されたパイロットデータは時間的にゲートされる請求項１０記載のコンピュータ読み取り可能な媒体。
【請求項１２】
パイロットデータは、全てゼロのシーケンスを含んでいる請求項１０記載のコンピュータ読み取り可能な媒体。
【外国語明細書】
2011151817000001.pdf